(57)【要約】【課題】  煩雑な作業等を行うことなく、システムリセット時等の初期起動時にクロノグラフ時計が正常に動作することを確認できるようにすること。【解決手段】  処理部１０６は、システムリセット端子１０３にシステムリセット信号が入力されて初期起動が行われたことを検出すると、スタート／ストップスイッチ１０１及びリセットスイッチ１０２の両方が同時に操作されていない場合には時刻針が所定のデモ運針を行う許可をした後、時刻針の運針及びクロノグラフ針の運針を可能にし、スイッチ１０１、１０２が同時には操作されている場合にはデモ運針を行う許可をすることなく、時刻針及びクロノグラフ針の運針を可能にする。【選択図】  図１
2011027705.tif 000002
【特許請求の範囲】
【請求項１】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにしたクロノグラフ時計において、
初期起動が行われたとき前記時刻針が所定の正常表示動作を行う許可をする制御手段を備えて成ることを特徴とするクロノグラフ時計。
【請求項２】
操作手段を有し、前記制御手段は、前記操作手段を所定状態にして初期起動が行われたとき、前記時刻針が前記正常表示動作を行う許可をすることを特徴とする請求項１記載のクロノグラフ時計。
【請求項３】
操作手段を有し、前記制御手段は、前記操作手段が所定操作されない状態で初期起動が行われたとき、前記時刻針が前記正常表示動作を行う許可をすることを特徴とする請求項１記載のクロノグラフ時計。
【請求項４】
前記制御手段は、前記時刻針が前記正常表示動作を行うまでの間、時刻針の運針を行うことを特徴とする請求項１乃至３のいずれか一に記載のクロノグラフ時計。
【請求項５】
前記制御手段は、前記時刻針が前記正常表示動作を行うまでの間、クロノグラフの操作が可能である特徴とする請求項１乃至３のいずれか一に記載のクロノグラフ時計。
【請求項６】
前記操作手段はクロノグラフ機能のスタートとストップを指示するスタート／ストップスイッチ及びクロノグラフ機能のリセットを指示するリセットスイッチを有して成り、
前記制御手段は、前記スタート／ストップスイッチ及びリセットスイッチの双方が同時には操作されない状態で初期起動が行われたとき、前記時刻針が前記正常表示動作を行う許可をすることを特徴とする請求項３または４記載のクロノグラフ時計。
【請求項７】
時刻秒針を含む時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにしたクロノグラフ時計において、
初期起動が行われたとき、前記時刻秒針を時刻表示周期とは異なる周期で駆動することによって正常表示動作を行う正常表示駆動手段を備えて成ることを特徴とするクロノグラフ時計。
【請求項８】
竜頭を有し、
前記正常表示駆動手段は、前記竜頭が押し込み状態のとき初期起動が行われた場合、前記時刻秒針を時刻表示周期とは異なる周期で駆動することによって正常表示動作を行うことを特徴とする請求項７記載のクロノグラフ時計。
【請求項９】
竜頭を有し、
前記正常表示駆動手段は、前記竜頭が引き出し状態のとき初期起動が行われた場合、前記竜頭押し込み操作時に、前記時刻秒針を時刻表示周期とは異なる周期で駆動することによって正常表示動作を行うことを特徴とする請求項７又は８記載のクロノグラフ時計。
【請求項１０】
竜頭を有し、
前記正常表示駆動手段は、正常表示動作開始から所定時間経過後又は正常表示動作中に前記竜頭の引き出し操作が行われた場合、前記正常表示動作を終了することを特徴とする
請求項７乃至９のいずれか一に記載のクロノグラフ時計。
【請求項１１】
前記正常表示駆動手段は、所定秒数毎に前記所定秒数が経過する前の所定時間内に前記時刻秒針を前記所定秒数分だけ纏めて駆動することによって前記正常表示動作を行うことを特徴とする請求項７乃至１０のいずれか一に記載のクロノグラフ時計。
【請求項１２】
システムリセット端子を有し、前記システムリセット端子にシステムリセット信号を入力することによって前記初期起動が行われることを特徴とする請求項１乃至１１のいずれか一に記載のクロノグラフ時計。
【請求項１３】
電池を電源として動作し、前記電池の交換によって前記初期起動が行われることを特徴とする請求項１乃至１２のいずれか一に記載のクロノグラフ時計。
【発明の詳細な説明】
【技術分野】
【０００１】
本発明は、時刻の指示機能及び時間計測機能を有するクロノグラフ時計に関する。
【背景技術】
【０００２】
従来から、複数の指針を各々駆動するために複数の駆動モータを搭載し、時刻情報の表示を基本機能として更に時間計測を行う付加機能（クロノグラフ機能）を搭載したクロノグラフ時計において、各指針の駆動は前記駆動モータによって電気的に行い、クロノグラフ針の帰零をハートカムなどの機械的機構によって行うものが開発されている（例えば特許文献１参照）。
前記特許文献１に開示されたクロノグラフ時計は、内部の処理回路や制御ソフトウェアが複雑で高度になるため、一般的な時分秒を表示するのみの単純な時計と比較して誤動作の可能性が高くなる。
前記誤動作の要因の一つとして、電池交換時やシステムリセット時の初期起動時の処理が正しく行われていないことによるものが挙げられる。
【０００３】
通常、電源起動時は、電源電圧がゼロから立ち上がることによって起動が正常に行われることが期待できるが、時計はもともと非常に低消費電力であることから、電池交換時の交換作業時間（電池を取り外している時間）が比較的短い場合は、内部回路のもつコンデンサ等の容量によって電圧低下が遅れ、電池が交換されて電圧が回復するまでの間に内部電圧が時計の制御部等に使用されている半導体素子の動作限界値を下回っている可能性がある。このとき、制御部は初期状態から起動せずに電圧低下前からの継続状態で動作してしまうことから、内部レジスタ値の破壊や回路動作シーケンスの異常など、さまざまな予測できない動作不良が発生する。
【０００４】
これを回避するため、従来のクロノグラフ時計では電池交換後に、単に時刻秒針が運針していることを確認するのみでなく、クロノグラフ機能が正常に動作するかどうか実際に操作スイッチの操作を行って確認するなど煩わしい作業が求められていた。
さらに、クロノグラフリセット状態においてハートカムなどの機構部品によってクロノグラフ針が動かないように規正されている場合は、クロノグラフ針を動作させることができないため、クロノグラフ針による動作確認ができないという問題もあった。
【０００５】
また、システムリセット時等の初期起動時に、正常に動作することを時刻秒針を１周回転させることによって表示することが考えられるが、時刻秒針と分針時針が連動している場合、時刻秒針を１周回すと時刻分針、時針が動いてしまうという問題がある。逆移転駆動パルスを持つように構成した場合は、時刻秒針を正転半周させると共に逆転半周することによって１分時刻が進むことが無いが、逆転駆動パルス生成回路を必要とすることになるため、駆動回路を構成する集積回路（ＩＣ）サイズが大きくなるという問題がある。
【０００６】
一方、特許文献２には、小秒針によって充電可能な電源の電圧低下を警告するようにした電子時計が開示されているが、システムリセット時等の初期起動時の動作に関しては何等言及されていない。
【先行技術文献】
【特許文献】
【０００７】
【特許文献１】特許第４２４４６４３号公報
【特許文献２】特開平１１−２５８３６５号公報
【発明の概要】
【発明が解決しようとする課題】
【０００８】
本発明は、前記問題点に鑑み成されたもので、煩雑な作業等を行うことなく、システムリセット時等の初期起動時にクロノグラフ時計が正常に動作することを確認できるようにすることを課題としている。
【課題を解決するための手段】
【０００９】
本発明の第１の視点によれば、時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにしたクロノグラフ時計において、初期起動が行われたときに前記時刻針が所定の正常表示動作を行う許可をするように前記モータを制御する制御手段を備えて成ることを特徴とするクロノグラフ時計が提供される。
【００１０】
また、本発明の第２の視点によれば、時刻秒針を含む時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにしたクロノグラフ時計において、初期起動が行われたとき、前記時刻秒針を時刻表示周期とは異なる周期で駆動することによって正常表示動作を行う正常表示駆動手段を備えて成ることを特徴とするクロノグラフ時計が提供される。
【発明の効果】
【００１１】
本発明に係るクロノグラフ時計によれば、煩雑な作業等を行うことなく、システムリセット等の初期起動時にクロノグラフ時計が正常に動作することを確認できる。
【図面の簡単な説明】
【００１２】
【図１】本発明の実施の形態に係るクロノグラフ時計のブロック図である。
【図２】本発明の実施の形態に係るクロノグラフ時計のフローチャートである。
【図３】本発明の他の実施の形態に係るクロノグラフ時計のブロック図である。
【図４】本発明の他の実施の形態に係るクロノグラフ時計の説明図である。
【図５】本発明の実施の形態に係るクロノグラフ時計のフローチャートである。
【図６】本発明の実施の形態に係るクロノグラフ時計のフローチャートである。
【図７】本発明の実施の形態に係るクロノグラフ時計のフローチャートである。
【図８】本発明の実施の形態に係るクロノグラフ時計のフローチャートである。
【発明を実施するための形態】
【００１３】
図１は、本発明の実施の形態に係るクロノグラフ時計のブロック図である。本実施の形態に係るクロノグラフ時計は、時刻針及びクロノグラフ針の駆動はモータによって電気的に行うと共に、リセット状態ではハートカム等の機械的機構によってクロノグラフ針が動かないように規正し、前記クロノグラフ針の駆動は前記機械的機構による規正を解除した後に行うようにしたクロノグラフ時計を前提としている。
【００１４】
図１において、クロノグラフ時計は、クロノグラフ機能のスタート操作とストップ操作を行うためのスタート／ストップスイッチ（Ａ）１０１、クロノグラフ機能のリセット操作を行うためのリセットスイッチ（Ｂ）１０２、クロノグラフ時計のシステム全体をリセット（システムリセット）するシステムリセット信号を入力するためのシステムリセット端子１０３、所定周波数の信号を発生する発振器１０４、発振器１０４で発生した信号を分周して計時の基準となる時計信号を発生する分周回路１０５、中央処理装置（ＣＰＵ）によって構成されクロノグラフ時計を構成するモータや各電子回路要素の制御等の処理を行う処理部１０６を備えている。
【００１５】
また、クロノグラフ時計は、処理部１０６からの制御信号に対応する駆動パルスによって時刻表示モータ１０８を回転駆動する駆動回路１０７、ステッピングモータによって構成され時刻針（例えば時針、分針、秒針）を回転駆動する時刻表示モータ１０８、処理部１０６からの制御信号に対応する駆動パルスによってクロノ表示モータ１１０を回転駆動する駆動回路１０９、ステッピングモータによって構成されクロノグラフ針（例えばクロノグラフ分針、クロノグラフ秒針）を回転駆動するクロノ表示モータ１１０を備えている。
また、クロノグラフ時計は、処理部が実行するソフトウェアを記憶する制御ソフトウェア記憶部１１１、設定データや計測データ等を記憶する記憶部１１２、クロノグラフ時計の電源として機能する電池１１３を備えている。
尚、機械的な構成は示していないが、前記特許文献１に開示された発明と同様に、リセットスイッチ１０２の操作によって移行するリセット状態では、機械的にはハートカム等の機械的機構によってクロノグラフ針が動かないように規正した状態になり、電気的にはクロノグラフ計測データがリセットされるように構成されている。
【００１６】
ここで、処理部１０６は制御手段を構成し、スタート／ストップスイッチ１０１及びリセットスイッチ１０２は操作手段を構成している。また、制御ソフトウェア記憶部１１１及び記憶部１１２は記憶手段を構成している。
制御手段は、システムリセット端子１０３にシステムリセット信号が入力された場合や電池１１３が交換されたとき等のように初期起動が行われたとき、時刻針が所定の正常表示動作を行う許可をするように構成することができる。
また、制御手段は、操作手段を所定状態にして初期起動が行われたとき、時刻針が正常表示動作を行う許可をするように構成することができる。
また、制御手段は、操作手段が所定操作されない状態で初期起動が行われたとき、時刻針が正常表示動作を行う許可をするように構成することができる。
【００１７】
また、制御手段は、時刻針が正常表示動作を行うまでの間、時刻針の運針を行うように構成することができる。
また、制御手段は、時刻針が正常表示動作を行うまでの間、クロノグラフの操作が可能であるように構成することができる。
また、操作手段はクロノグラフ機能のスタートとストップを指示するスタート／ストップスイッチ１０１及びクロノグラフ機能のリセットを指示するリセットスイッチ１０２を有して成り、制御手段は、スタート／ストップスイッチ１０１及びリセットスイッチ１０２の双方が同時には操作されない状態で初期起動が行われたとき、時刻針が正常表示動作行う許可をするように構成することができる。
【００１８】
また、制御手段は、システムリセット端子１０３を有し、システムリセット端子１０３にシステムリセット信号を入力することによって初期起動が行われるように構成することができる。
また、電池１１３を電源として動作し、電池１１３の交換によって初期起動が行われるように構成することができる。
図２は本発明の実施の形態に係るクロノグラフ時計のフローチャートで、主として処理部１０６が制御ソフトウェア記憶部１１１に記憶した制御ソフトウェアを実行することによって行われる処理を示している。
【００１９】
以下、図１及び図２を用いて、本発明の実施の形態に係るクロノグラフ時計の動作を説明する。
クロノグラフ時計は電池１１３から供給される駆動電力を用いて動作する。
通常の計時動作を行う場合、処理部１０６が分周回路１０５からの時計信号に基づいて
計時動作を行い、駆動回路１０７を介して時刻表示モータ１０８を回転駆動する。時刻表示モータ１０８は時刻針（図示せず）を回転駆動し、前記時刻針によって現在時刻が随時表示される。
クロノグラフ動作を行う場合、使用者がリセット状態でスタート／ストップスイッチ１０１を操作することにより、クロノグラフ機能をスタートさせる。処理部１０６は、スタート／ストップスイッチ１０１によるスタート操作に応答して計時動作を開始し、計時した時間に対応する量だけ駆動回路１０９を介してクロノ表示モータ１１０を回転駆動する。クロノ表示モータ１１０はクロノグラフ針（図示せず）を駆動し、前記クロノグラフ針によって経過時間等が随時表示される。
【００２０】
使用者が所望の時点でスタート／ストップ１０１を操作することによってクロノグラフ機能をストップさせて計時動作を停止させる。クロノグラフ針によって前記計時スタートから計時ストップまでの経過時間が表示される。
次に、システムリセット時の動作を説明する。処理部１０６は、システムリセット端子１０３にクロノグラフ時計の電気系統全体をリセットするためのシステムリセット信号が入力されて初期起動が行われたことを検出すると、スタート／ストップスイッチ１０１及びリセットスイッチ１０２の両方が同時に操作されているか否か（即ち、スタート／ストップスイッチ１０１及びリセットスイッチ１０２の両方が同時に押し操作されて閉状態にあるか否か）を判別する（ステップＳ２０１）。
【００２１】
処理部１０６は、処理ステップＳ２０１において、スイッチ１０１、１０２が同時には操作されていないと判定した場合には、時刻針が所定の正常表示動作（デモ運針）を行うことが許可され、以後の通常動作のなかの所定のタイミングにまたは所定のスイッチ操作時おいて正常表示動作（デモ運針）が実施されるように時刻表示モータ１０８を制御した後（ステップＳ２０５）、時刻針の運針及びクロノグラフ針の運針を可能にする（ステップＳ２０２、Ｓ２０３）。
これらの起動処理を経て時刻表示モータ１０８は、所定のタイミングであるいは所定のスイッチ操作での処理部１０６によるデモ運針制御に応答して、時刻針を回転駆動して前記デモ運針を行う。このときの前記デモ運針の動作例として、秒針を１回転させるようにしてもよい。
【００２２】
前記デモ運針の制御が行われた後、時刻針及びクロノグラフ針の正常運針が可能になり、現在時刻の表示動作や時間計測動作等のクロノグラフ時計の通常動作処理が行われることになる（ステップＳ２０４）、
このように、操作スイッチ１０１、１０２が同時には操作されていない場合、処理部１０６は、処理ステップＳ２０５のデモ運針許可を行うことにより、使用者はその後の所定のタイミングまたは所定のスイッチ操作時にデモ運針動作を確認することができる。さらに、デモ運針が開始されるまでの間は時刻運針やクロノ運針動作が許可されているため、時刻運針動作を確認することで起動後の動作状況が確認できる。
【００２３】
一方、処理部１０６は、処理ステップＳ２０１において、スイッチ１０１、１０２が同時に操作されていると判定した場合には、デモ運針を許可することなく、時刻針の運針を可能にし（ステップＳ２０２）、又、クロノグラフ針の運針を可能にする（ステップＳ２０３）。
これにより、デモ運針のための所定のタイミングまで確認する待ち時間や所定の操作によるデモ運針実行確認が不要になり、時計製造時の検査時間を増加することなく、直ちに、時刻針及びクロノグラフ針が正常動作可能になり、現在時刻の表示動作や時間計測動作等のクロノグラフ時計の通常動作処理が行われる（ステップＳ２０４）。
【００２４】
以上述べたように、本実施の形態に係るクロノグラフ時計によれば、時刻針及びクロノ
グラフ針の駆動はモータによって電気的に行うと共に、リセット状態ではクロノグラフ針が動かないように機械的機構によって規正し、前記クロノグラフ針の駆動は前記機械的機構による規正を解除した後に行うようにしたクロノグラフ時計において、処理部１０６は、システムリセット端子１０３にシステムリセット信号が入力されて初期起動が行われたことを検出すると、スタート／ストップスイッチ１０１及びリセットスイッチ１０２の両方が同時には操作されていない場合には時刻針が所定のデモ運針を行うよう許可され、時刻針の運針及びクロノグラフ針の運針を可能にし、スイッチ１０１、１０２が同時に操作されている場合にはデモ運針を行うことなく、時刻針及びクロノグラフ針の運針を可能にしている。デモ運針が許可されている場合、その後処理部１０６は、所定のタイミングまたは所定のスイッチ操作によって時刻針によるデモ運針動作が実行されるよう時刻表示モータ１０８を制御する。
【００２５】
このように、初期起動動作時に時刻針を用いて初期起動時に正常動作可能であることを表示するようにしているため、煩雑な作業等を行うことなく、電池交換時等の初期起動時が正常に行われたことを確認することが可能となり、クロノグラフ時計が正常に動作することを容易に確認することが可能になる。
また、処理部１０６は、デモ運針が行われるまでの間、クロノグラフ時計の動作が可能になるようにしているため、時刻針の動作を確認することでクロノグラフ時計の動作状態を確認することが可能になる。
【００２６】
また、所定のスイッチ操作によってデモ運針を禁止することが可能であるため、時計製造時の検査時間の増加を防止することができる。
また、ハートカムなどの機械的機構によってクロノグラフ針が規正されている場合においても、時刻針を使って運針を確認することにより、処理部１０６が初期状態から起動したことを確認することができる。
【００２７】
尚、本実施の形態では、初期起動の例として、システムリセット端子１０３にシステムリセット信号を供給してシステムリセットさせる例で説明したが、電池１１３を取り外して交換する場合でもよい。
また、デモ運針を行わせるための所定のスイッチ操作として、スタート／ストップスイッチ１０１を利用する場合のほか、竜頭を用いる等の組み合わせも可能である。
【００２８】
図３は、本発明の他の実施の形態に係るクロノグラフ時計のブロック図である。
図３において、クロノグラフ時計は、所定周波数の信号を発生する発振回路３０１、発振回路３０１で発生した信号を分周して計時の基準となる時計信号を発生する分周回路３０２、電子時計を構成する各電子回路要素の制御や駆動パルスの変更制御等の制御を行う制御回路３０３、制御回路３０３からの制御信号に対応する時刻針駆動用の駆動パルス及びクロノグラフ針駆動用の駆動パルスを発生する駆動パルス発生回路３０４を備えている。制御回路３０３には、クロノグラフ時計のシステム全体をシステムリセット（オールクリア）するシステムリセット信号（例えば電源電圧ＶDDの信号）を入力するためのシステムリセット端子ＡＣが設けられている。
【００２９】
また、クロノグラフ時計は、駆動パルス発生回路３０４からのクロノグラフ針用駆動パルスによって回転駆動部３０７内のクロノモータ（第２ステッピングモータ）３０８を駆動するモータ駆動回路（第２モータ駆動回路）３０５、駆動パルス発生回路１０４からの時刻針用駆動パルスによって回転駆動部３０７内の時刻モータ（第１ステッピングモータ）３１０を駆動するモータ駆動回路（第１モータ駆動回路）３０６を備えている。
【００３０】
また、クロノグラフ時計は、クロノグラフ針を駆動するクロノモータ３０８、クロノモータ３０８の回転をクロノグラフ針に伝達するクロノ針輪列３０９、時刻針を駆動する時
刻モータ３１０、時刻モータ３１０の回転を時刻針に伝達する時刻針輪列３１１、クロノ針輪列３０９及び時刻針輪列３１１の操作等を行う外部操作部材３１２を備えている。クロノモータ３０８、クロノ針輪列３０９、時刻モータ３１０、時刻針輪列３１１は回転駆動部３０７の構成要素である。
【００３１】
また、クロノグラフ時計は、回転駆動部３０７によって駆動され、計測時間や現在時刻をクロノグラフ針や時刻針によって表示するアナログ表示部３１３を備えている。
アナログ表示部３１３は、計測した時間を表示するクロノグラフ針（クロノグラフ時針３１８、クロノグラフ分針３１９、クロノグラフ秒針３１４）、現在時刻を表示する時刻針（時刻時針３１５、時刻分針３１６、時刻秒針（本実施の形態では小秒針）３１７）を備えている。クロノグラフ針３１４、３１８、３１９はクロノモータ３０８及びクロノ針輪列３０９によって回転駆動され、時刻針３１５、３１６、３１７は時刻モータ３１０及び時刻針輪列３１１によって回転駆動される。
また、クロノグラフ時計は、時間計測動作のスタート及びストップを指示するスタート／ストップスイッチＡＳＷ、竜頭ＳＷ、時間計測動作をリセットするリセットスイッチＢＳＷを備えている。スタート／ストップスイッチＡＳＷ、リセットスイッチＢＳＷ及び竜頭ＳＷは外部操作部材３１２を構成している。電池３２０はクロノグラフ時計の電源である。
【００３２】
クロノモータ３０８及び時刻モータ３１０はステッピングモータであり、例えば、ロータ収容孔及びロータの停止位置を決める位置決め部を有するステータと、前記ロータ収容孔内に配設されたロータと、コイルとを有し、前記コイルに交番信号を供給して前記ステータに磁束を発生させることによって前記ロータを回転させると共に、前記位置決め部に対応する位置に前記ロータを停止するようにした公知の２極ＰＭ（Permanent Magnet）型ステッピングモータである。ステッピングモータの駆動コイルに極性の異なる駆動信号を交互に供給することによって、ロータを所定角度（例えば１８０度）ずつ一定方向に連続的に回転させるように構成されている。
【００３３】
本他の実施の形態に係るクロノグラフ時計は、図１に示したように時刻秒針３１７を含む時刻針及びクロノグラフ針の駆動はモータ３０８、３１０によって電気的に行うが、リセット状態ではクロノグラフ針３１４、３１８、３１９が動かないように公知の機械的機構（図示せず）によって規正し、クロノグラフ針３１４、３１８、３１９の駆動は前記機械的機構による規正を解除した後にモータ３０８によって行うように構成されている。
尚、発振回路３０１及び分周回路３０２は信号発生手段を構成している。また、発振回路３０１、分周回路３０２、制御回路３０３、駆動パルス発生回路３０４、モータ駆動回路３０６、３０６及び回転駆動部３０７は正常表示駆動手段を構成している。
【００３４】
図４は、本発明の他の実施の形態の動作概要を説明する説明図である。
図４において本他の実施の形態では、初期起動（システムリセットあるいはオールクリアとも称す）に入るための条件（オールクリア条件）として、次の条件が用意されており、いずれかのオールクリア条件が満たされたときに初期起動が行われ、初期起動が行われたことを表す正常表示動作が行われる。
【００３５】
オールクリア条件１は、竜頭ＳＷが押し込み状態にあるときにおいて、（１）システムリセット端子ＡＣにシステムリセット信号（例えば電源電圧VDD）が供給された場合また
は（２）電池３２０が交換された場合である。
オールクリア条件２は、竜頭ＳＷが引き出し状態にあるときにおいて、（１）リセットスイッチＢＳＷが所定時間（例えば２秒間）以上押下操作された場合、（２）システムリセット端子ＡＣにシステムリセット信号（例えば電源電圧VDD）が供給された場合または
（３）電池３２０が交換された場合である。
【００３６】
制御回路３０３は、オールクリア条件１が満たされた（即ち初期起動が行われた）と判定すると、オールクリア処理後にオールクリア処理を解除した後、時刻秒針３１７が正常表示動作を行うようにモータ駆動回路３０６を制御する（状態４０２）。前記正常表示動作では、時刻秒針３１７が所定時間（例えば１０秒）、通常の時刻表示周期とは異なる周期で運針動作（デモ運針）を行うように駆動制御される。モータ駆動回路３０６は、時刻秒針３１７が前記所定時間の間、時刻表示周期とは異なる周期で運針動作を行うように、時刻モータ３１０を駆動する。例えば、前記デモ運針では、所定秒数（例えばｎ秒（本実施の形態では２秒））毎に前記所定秒数が経過する前の所定時間内に時刻秒針３１７を前記所定秒数分だけ纏めて駆動する（ｎ秒運針）。
【００３７】
また、制御回路３０３は、オールクリア条件２が満たされた（即ち初期起動が行われた）と判定すると、オールクリア処理後にオールクリア処理を解除した後、竜頭ＳＷを引き出した状態で待機する（状態４００）。この状態では、時刻針３１５〜３１７を回転することはできないため、秒針３１７による正常表示動作を行うことはできない。制御回路３０３は状態４００において、竜頭ＳＷが押し込まれたと判定すると、時刻秒針３１７が正常表示動作を行うようにモータ駆動回路３０６を制御する（状態４０１）。この場合も前記同様に、前記正常表示動作では、時刻秒針３１７が所定時間（例えば１０秒）通常の時刻表示動作とは異なる運針動作（デモ運針）を行うように駆動制御される。モータ駆動回路３０６は、時刻秒針３１７が前記所定時間の間、時刻表示動作とは異なる運針動作（例えばｎ秒運針）を行うように、時刻モータ３１０を駆動する。
【００３８】
次に、制御回路３０３は、正常表示動作の終了条件が成立したと判定すると、前記正常表示動作を終了するようにモータ駆動回路３０６を制御する。本他の実施の形態における終了条件は、状態４０２又は４０１において正常表示動作開始から前記所定時間（例えば１０秒）経過した場合や、正常表示動作中に竜頭ＳＷの引き出し操作が行われた場合である。
モータ駆動回路３０６は、制御回路３０３による正常表示動作終了の制御に応答して、時刻秒針３１７がデモ運針を停止し時刻表示周期で運針するように時刻モータ３１０を駆動する。竜頭ＳＷが押し込まれた状態になっていれば、時刻秒針３１７はデモ運針から時刻表示運針に切り換わり、通常の時刻表示（通常運針）が１ステップ／秒で行われる（状態４０３）。
【００３９】
図５〜図８は本他の実施の形態の処理を示すフローチャートであり、主として制御回路３０３の処理を示している。
図５は初期起動時の全体処理を示すフローチャート、図６は図５の処理における１Ｈｚ割り込み処理を示すフローチャート、図７は図６の処理における８Ｈｚ割り込み処理を示すフローチャート、図８は竜頭ＳＷの操作による割り込み処理を示すフローチャートである。
【００４０】
以下、図３〜図８を参照して、本発明の他の実施の形態に係るクロノグラフ時計の動作を詳細に説明する。
クロノグラフ時計は、通常動作時には、次のようにして計時動作及び時間計測動作を行う。
先ず、発振回路３０１は所定周波数の基準クロック信号を発生し、分周回路３０２が発振回路３０１で発生した前記信号を分周して計時の基準となる時計信号を制御回路３０３に出力する。
【００４１】
制御回路３０３は、時刻表示動作を行う場合、前記時計信号に基づいて計時動作を行い、所定の時刻表示周期（例えば１秒）が到来する毎に、駆動パルス発生回路３０４がモー
タ駆動回路３０６を介して時刻モータ３１０を回転駆動するように制御する。これにより、時刻モータ３１０は、時刻表示周期で時刻針輪列３１１を介して時刻針３１５、３１６、３１７を回転駆動する。尚、前記時刻表示動作は竜頭ＳＷが押下された状態で行われる。
【００４２】
外部操作部材３１２に含まれるスタート／ストップスイッチＡＳＷがスタート操作されると、制御回路３０３は前記時計信号に基づいて時間計測動作を開始し、所定の計測時間表示周期が到来する毎に、駆動パルス発生回路３０４がモータ駆動回路３０５を介してクロノモータ３０８を回転駆動するように制御する。これにより、クロノモータ３０８は、計測時間表示周期でクロノ針輪列３０９を介してクロノグラフ針３１４、３１８、３１９を回転駆動する。スタート／ストップスイッチＡＳＷがストップ操作されると、制御回路３０３は時間計測動作を停止し、モータ駆動回路３０５を制御してクロノグラフ針３１４、３１８、３１９の回転駆動を停止させる。
前記ストップ状態で、外部操作部材３１２に含まれるリセットスイッチＢＳＷをリセット操作すると、制御回路３０３が時間計測カウンタをリセットして初期状態に戻し、図示しない機械的機構がクロノグラフ針３１４、３１８、３１９を帰零して規正することにより初期状態に戻す。
【００４３】
電池３２０の交換あるいはシステムリセット端子ＡＣへのシステムリセット信号の供給が行われることによって初期起動が行われると、ハードウェア全体の初期化（例えば、デモ運針を行う時間を計時するデモ時間カウンタ、ｎ秒計数カウンタ及びｎ秒パルスカウンタの初期化）を行う（ステップＳ５００）。
次に制御回路３０３は、１Ｈｚ周期で行われる割り込みが許可されると、図６の１Ｈｚ割り込み処理を行い（ステップＳ５０１）、竜頭ＳＷの操作による割り込み（ＫＥＹ割り込み）が許可されると、図８の竜頭割り込み処理を行う（ステップＳ５０２）。
【００４４】
次に制御回路３０３は、竜頭ＳＷ押し込み状態（竜頭ＳＷが押し込まれた状態、即ち竜頭が０段位置にある状態）の場合にはデモ指示を行った後に戻る（ステップＳ５０３、Ｓ５０５、Ｓ５０６）。制御回路３０３は処理ステップＳ５０３において竜頭ＳＷ引き出し状態（竜頭ＳＷが引き出された状態）にあると判定した場合にはデモ準備指示を行った後（ステップＳ５０４）、処理ステップＳ５０６に移行する。
【００４５】
図６の１Ｈｚ割り込み処理において、制御回路３０３は、竜頭ＳＷが押し込み状態にあると判定すると（ステップＳ６００）、正常表示動作を行う指示（デモ指示）がある場合には（ステップＳ６０１）、制御回路３０３内のデモ時間カウンタ（図示せず）から１秒減算する（ステップＳ６０２）。デモ時間カウンタは、正常表示動作を行う時間（即ちデモ運針を行う時間）を計時するカウンタで、本実施の形態では正常表示動作を行う時間として１０秒に設定しているためデモ時間カウンタとして１０秒カウンタを使用している。
【００４６】
制御回路３０３は、デモ時間カウンタの計数値が０になっていない、即ち、正常表示動作が未だ前記所定時間（１０秒）行われていないと判定すると（ステップＳ６０３）、制御回路３０３内のｎ秒計数カウンタ（図示せず）から１周期分の時間である１秒を減算する（ステップＳ６０４）。ｎ秒計数カウンタは、正常表示動作を行うｎ秒運針のｎ（本実施の形態では２）秒が経過したか否か、即ち、ｎ秒運針の運針タイミングが到来したか否かを計時するカウンタである。
制御回路３０３は、ｎ秒計数カウンタの計数値が０になったと判定すると、即ち、ｎ秒運針の駆動タイミングが到来したと判定すると（ステップＳ６０５）、ｎ秒計数カウンタの計数値をｎにセットし（ステップＳ６０６）、未駆動のパルス（残パルス）駆動指示を行う（ステップＳ６０７）。ここで、本実施の形態ではｎ秒運針のｎは２であり、残りパルスの駆動指示を行う。
【００４７】
次に制御回路３０３は、ｎ秒パルスカウンタから１減算し（ステップＳ６０８）、時刻モータ３１０を１回駆動した後に戻る（ステップＳ６１０、Ｓ６１１）。制御回路３０３は、処理ステップの後、２回目以降の残りの駆動を行う場合、８Ｈｚ周期で図７の８Ｈｚ割り込み処理を行って該割り込み処理の中で駆動する（ステップＳ６０９）。
制御回路３０３は、処理ステップＳ６０５においてｎ秒計数カウンタの計数値が０になっていないと判定した場合には処理ステップＳ６１１に移行する。また、制御回路３０３は、処理ステップＳ６０３においてデモ時間カウンタの計数値が０になったと判定した場合には、デモ指示を削除した後（ステップＳ６１２）、処理ステップＳ６１０に移行する。また、制御回路３０３は、処理ステップＳ６０１においてデモ指示がないと判定した場合には処理ステップＳ６１０に移行する。また、制御回路３０３は、処理ステップＳ６００において竜頭ＳＷが引き出し状態にあるときは直ちに処理ステップＳ６１１に移行する。
【００４８】
制御回路３０３は、図７の８Ｈｚ割り込み処理において、残駆動パルス指示がなされていると判定すると（ステップＳ７００）、駆動パルス発生回路３０４及びモータ駆動回路３０６を介して時刻秒針３１７を駆動して正常表示動作を行った後（ステップＳ７０１）、ｎ秒パルスカウンタから１減算する（ステップＳ７０２）。２秒運針（ｎ＝２）の場合には２回目の時刻秒針３１７の駆動がここで行われる。
制御回路３０３は、ｎ秒パルスカウンタの計数値が０になったと判定すると（ステップＳ７０３）、残パルス駆動指示を解除する（ステップＳ７０４）。ここで、２秒運針の場合はｎ秒パルスカウンタの計数値は０と判定される。次に制御回路３０３は、ｎ秒パルスカウンタの計数値をｎに設定し（ステップＳ７０５）、８Ｈｚ割り込みを禁止した後に戻る（ステップＳ７０６、Ｓ７０７）。
【００４９】
制御回路３０３は、処理ステップＳ７０３においてｎ秒パルスカウンタの計数値が０ではないと判定すると処理ステップＳ７０７に移行する。例えば、３秒運針（ｎ＝３）の場合、この時点では未だ「１」残っているため処理ステップＳ７０７から処理ステップＳ７００へ戻る。
また、制御回路３０３は、処理ステップＳ７００において残パルス駆動指示がなされていないと判定すると処理ステップＳ７０６に移行する。
【００５０】
制御回路３０３は、図８の竜頭割り込み処理において、竜頭ＳＷが押し込み状態と判定すると（ステップＳ８００）、デモ準備指示がなされている場合には（ステップＳ８０１）、デモ準備指示を解除する（ステップＳ８０２）。
次に制御回路３０３は、デモ指示を行い（ステップＳ８０３）、タイマー分周段（前記各カウンタ）をリセットした後に戻る（（ステップＳ８０４、Ｓ８０５）。
制御回路３０３は、処理ステップＳ８０１においてデモ準備指示がなされていない場合には処理ステップＳ８０４に移行する。また、制御回路８０３は、処理ステップＳ８００において竜頭ＳＷが引き出し状態と判定すると、デモ指示を解除し（ステップＳ８０６）、残パルス駆動指示を解除することによって（ステップＳ８０７）、正常表示動作を解除し、処理ステップＳ８０５に移行する。
【００５１】
以上述べたように本発明の他の実施の形態に係るクロノグラフ時計は、時刻秒針を含む時刻針及びクロノグラフ針の駆動はモータ３０８、３１０によって電気的に行うと共に、リセット状態ではクロノグラフ針３１４、３１８、３１９が動かないように機械的機構によって規正し、クロノグラフ針３１４、３１８、３１９の駆動は前記機械的機構による規正を解除した後に行うようにしたクロノグラフ時計において、初期起動が行われたとき、時刻秒針３１７を時刻表示周期とは異なる周期で駆動することによって初期起動が正常に行われたことを表す正常表示動作を行う正常表示駆動手段を備えて成ることを特徴として
いる。
【００５２】
したがって、前記第１の実施の形態と同様に、煩雑な作業等を行うことなく、システムリセット等の初期起動時にクロノグラフ時計が正常に動作することを確認できるという効果を奏する。
また、初期起動動作が正常に完了したことを表す正常表示動作を行うために時刻針をｎ秒運針するように構成しているため、時刻針を反転駆動するような複雑な構成は不要であり、簡単な構成で正常表示動作を行うことが可能になる。また、正常表示動作は、早送りで１回転させるのではなくｎ秒運針としているため、正常表示動作による実時間進みを無くすことができ、正確な時刻表示が可能になる。
【００５３】
尚、デモ運針１分未満の時間、ｎ秒（ｎは例えば２，３，４，５，６，１０，１２，１５，２０，３０秒）運針とするように構成できる。また、デモ運針の時間は任意とすることができ、その場合、デモ運針の解除は外部操作部材３１２の操作によって行うように構成できる。また、デモ運針の時間は所定の一定時間としてもよい。
【産業上の利用可能性】
【００５４】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにした各種のクロノグラフ時計に適用可能である。
【符号の説明】
【００５５】
１０１、ＡＳＷ・・・スタート／ストップスイッチ
１０２、ＢＳＷ・・・リセットスイッチ
１０３、ＡＣ・・・システムリセット端子
１０４・・・発振器
１０５、３０２・・・分周回路
１０６・・・処理部
１０７、１０９・・・駆動回路
１０８・・・時刻表示モータ
１１０・・・クロノ表示モータ
１１１・・・制御ソフトウェア記憶部
１１２・・・記憶部
１１３、３２０・・・電池
３０１・・・発振回路
３０３・・・制御回路
３０４・・・駆動パルス発生回路
３０５、３０６・・・モータ駆動回路
３０７・・・回転駆動部
３０８・・・クロノモータ
３０９・・・クロノ輪列
３１０・・・時刻モータ
３１１・・・時刻輪列
３１２・・・外部操作部材
３１３・・・アナログ表示部
３１４・・・クロノグラフ秒針
３１５・・・時刻時針
３１６・・・時刻分針
３１７・・・時刻秒針
３１８・・・クロノグラフ時針
３１９・・・クロノグラフ分針
【図１】
2011027705.tif 000003
【図２】
2011027705.tif 000004
【図３】
2011027705.tif 000005
【図４】
2011027705.tif 000006
【図５】
2011027705.tif 000007
【図６】
2011027705.tif 000008
【図７】
2011027705.tif 000009
【図８】
2011027705.tif 000010